(57)【要約】  ユーザが好みのグラフィックを表示することが可能な膜を作成するための製品、システム及び方法が記載され、これにより、ユーザは、膜の選択した領域を凹ませることによって、膜の中に好みのグラフィックの表示を作成し、好みのグラフィックの表示を作成することができる。
2019515347.tif 000002
【特許請求の範囲】
【請求項１】
瓶のためのラベルであって、当該ラベルは、
バックグラウンド層と；
上部層と；
前記バックグラウンド層と前記上部層との間に配置される、移動可能な材料層とを備えており、
前記移動可能な材料層の移動可能な材料が、第１の層に加えられた力に応答して、バックグラウンド層に対して第１の位置から、バックグラウンド層に対して第２の位置まで移動し、
前記移動可能な材料は、力が前記第１の層から取り除かれた後に、前記第２の位置に留まる、ラベル。
【請求項２】
バックグラウンド層の下に配置される下部層を更に備える、請求項１に記載のラベル。
【請求項３】
前記バックグラウンド層が、前記移動可能な材料とは異なる色である、請求項１に記載のラベル。
【請求項４】
前記移動可能な材料層が、前記ラベルの表面積の２５％未満に配置されている、請求項１に記載のラベル。
【請求項５】
前記移動可能な材料が、第１の位置から第２の位置まで流れる、請求項１に記載のラベル。
【請求項６】
前記上部層が透明である、請求項１に記載のラベル。
【請求項７】
前記上部層が、二軸配向ポリプロピレンフィルムである、請求項１に記載のラベル。
【請求項８】
前記移動可能な材料が不透明である、請求項１に記載のラベル。
【請求項９】
前記移動可能な材料がポリマーを含む、請求項１に記載のラベル。
【請求項１０】
前記ポリマーが、水系ポリマーを含む、請求項９に記載のラベル。
【請求項１１】
前記バックグラウンド層と前記上部層が、袋を形成し、前記移動可能な材料が、前記袋の中に入っている、請求項１に記載のラベル。
【請求項１２】
前記移動可能な材料は、力を加えた後に、前記上部層と前記下部層との間に留まっている、請求項１に記載のラベル。
【請求項１３】
請求項１に記載のラベルを備える瓶。
【請求項１４】
消耗品のための容器であって、当該容器は、再書き込み可能なフィルムを含み、当該フィルムは、
バックグラウンド層と；
前記バックグラウンド層の上に配置された移動可能な媒体とを備えており、前記移動可能な媒体は、流動可能なゲルであり、
前記移動可能な媒体は、加えられる力に応答して、力が加えられる位置で、バックグラウンドを視覚的に露出するように移動する、容器。
【請求項１５】
前記移動可能な媒体が、前記バックグラウンド層から分離しない、請求項１２に記載の容器。
【請求項１６】
再書き込み可能なフィルムを製造する方法であって、当該方法は、
バックグラウンド層の上にグラフィックを印刷することと、
前記バックグラウンド層の上のグラフィックの上に、移動可能な媒体を印刷し、前記移動可能な媒体が流動可能なゲルであることと、
前記移動可能な媒体の上に上部層を貼り付けることと、
前記移動可能な媒体の周囲にある前記バックグラウンド層に前記上部層を密封することとを含む、方法。
【請求項１７】
前記移動可能な媒体が不透明である、請求項１６に記載の方法。
【請求項１８】
前記上部層が透明である、請求項１６に記載の方法。
【発明の詳細な説明】
【背景技術】
【０００１】
顧客は、好みのグラフィックを作成し、表面（例えば、飲料容器表面）で情報を伝えることを望む場合がある。
【発明の概要】
【０００２】
膜が開示される。膜は、瓶などの消費財のためのラベル上で使用されてもよい。膜は、バックグラウンド層と、上部層と、バックグラウンド層と上部層との間に配置される移動可能な材料層とを備えていてもよい。移動可能な材料層の移動可能な材料は、第１の層に加えられる力に応答して、バックグラウンド層に対して第１の位置から、バックグラウンド層に対して第２の位置に移動してもよく、移動可能な材料は、第１の層から力が取り除かれた後に、第２の位置に留まっていてもよい。上部層及びバックグラウンド層は、移動可能な材料層を含む袋を形成していてもよい。
【０００３】
ラベルは、更に、バックグラウンド層の下に下部層を備えていてもよい。バックグラウンド層と移動可能な材料層は、異なる色又は異なる透明度（例えば、不透明、透明、又はその間）を有していてもよく、移動可能な材料層は、ラベルの表面積の２５％未満の上に配置されていてもよい。移動可能な材料層は、貼り付けられる力に応答して、バックグラウンド層を視覚的に露出するように移動してもよい。移動可能な材料は、水系ポリマー若しくは他のポリマー、又はポリマーの組み合わせであってもよい。上部層は、移動可能な層とバックグラウンド層の間のコントラストが、更に目で見やすくなるように、透明であってもよく、二軸配向ポリプロピレン膜であってもよい。
【図面の簡単な説明】
【０００４】
添付の図面は、本明細書に組み込まれ、明細書の一部を形成するが、本発明の実施形態を、限定としてではなく、例として示す。本記載と合わせて、添付の図面は、更に、本発明の原理を説明するのに役立ち、関連する分野の当業者が、本発明を製造し、使用することができる。
【０００５】
【図１】本発明のいくつかの実施形態に係る飲料容器のラベルに貼り付けられるフィルムの図である。
【０００６】
【図２】本発明のいくつかの実施形態に係るフィルムの図である。
【０００７】
【図３】本発明のいくつかの実施形態に係るラベルに貼り付けられるフィルムの図である。
【０００８】
【図４Ａ】本発明のいくつかの実施形態に係るフィルムに対して好みのマークを貼り付ける操作を示す。
【図４Ｂ】本発明のいくつかの実施形態に係るフィルムに対して好みのマークを貼り付ける操作を示す。
【図４Ｃ】本発明のいくつかの実施形態に係るフィルムに対して好みのマークを貼り付ける操作を示す。
【図４Ｄ】本発明のいくつかの実施形態に係るフィルムに対して好みのマークを貼り付ける操作を示す。
【図４Ｅ】本発明のいくつかの実施形態に係るフィルムに対して好みのマークを貼り付ける操作を示す。
【０００９】
【図５Ａ】本発明のいくつかの実施形態に係るフィルムに好みのマークを貼り付ける操作を示す。
【図５Ｂ】本発明のいくつかの実施形態に係るフィルムに好みのマークを貼り付ける操作を示す。
【図５Ｃ】本発明のいくつかの実施形態に係るフィルムに好みのマークを貼り付ける操作を示す。
【図５Ｄ】本発明のいくつかの実施形態に係るフィルムに好みのマークを貼り付ける操作を示す。
【図５Ｅ】本発明のいくつかの実施形態に係るフィルムに好みのマークを貼り付ける操作を示す。
【００１０】
【図６Ａ】本発明のいくつかの実施形態に係るフィルムに好みのマークを貼り付ける操作を示す。
【図６Ｂ】本発明のいくつかの実施形態に係るフィルムに好みのマークを貼り付ける操作を示す。
【図６Ｃ】本発明のいくつかの実施形態に係るフィルムに好みのマークを貼り付ける操作を示す。
【００１１】
【図７Ａ】本発明のいくつかの実施形態に係るラベルに貼り付けられるフィルムの図である。
【図７Ｂ】本発明のいくつかの実施形態に係るラベルに貼り付けられるフィルムの図である。
【発明を実施するための形態】
【００１２】
添付の図面に示されるような実施形態を参照しつつ、本発明をここで詳細に記載する。「一実施形態」、「ある実施形態」、「一例となる実施形態」、「いくつかの実施形態」などの言及は、記載されている実施形態が、特定の特徴物、構造又は特徴を含んでいてもよいが、全ての実施形態が、特定の特徴物、構造又は特徴を必ずしも含んでいなくてもよいことを示す。同様に、他の実施形態は、更なる特徴物、構造又は特徴を含んでいてもよい。更に、このような句は、必ずしも同一の実施形態に言及するものではない。更に、特定の特徴物、構造又は特徴が、実施形態と組み合わせて記載されるとき、明示的に記載されているか否かにかかわらず、他の実施形態と組み合わせてこのような特徴物、構造又は特徴を実施することは、当業者の知識の範囲内であると考える。
【００１３】
「発明」又は「本発明」との用語は、本明細書で使用される場合、非限定的な用語であり、特定の発明の１つの実施形態を指すのではなく、本出願に記載される全ての可能な実施形態を包含することを意図している。
【００１４】
本明細書に記載されるシステム及びフィルムを使用し、ユーザの好みのグラフィックを示すことができるフィルムを製造してもよい。より特定的には、これらのシステム及び方法は、複数層のフィルムを記載する。フィルムは、フィルムに好みのグラフィックを作成するために、顧客のための書き込み可能な層を含んでいてもよい。
【００１５】
フィルムは、多種多様な製品包装に貼り付けられ、丈夫で効果的なラベルを作成してもよい。このようなフィルムは、例えば、ポリ塩化ビニル（ＰＶＣ）、ポリエチレンテレフタラート（ＰＥＴ）又はポリ乳酸（ＰＬＡ）から作られてもよい。フィルムを使用し、全体の包装又は容器を作成することもできる。フィルムラベルの例としては、飲料容器の周りのラッピング又はキャンディの包み紙を含んでいてもよい。容器を作成するために称されるフィルムは、スナックの袋又は飲料の袋を含んでいてもよい。フィルムは、メッセージ又はグラフィックを示すために、印刷された層を含んでいてもよい。グラフィックを使用し、飲料又はブランドを特定してもよい。
【００１６】
本明細書に記載される発明の発明者らは、飲料容器を含め、製品包装に対する好きなグラフィック表示を付する新規な製品、システム及び方法の必要性を認識している。例えば、懇親会又はスポーツイベントでは、ゲスト又は参加者が、飲料容器を使用する場合がある。飲料容器は、例えば、缶、瓶、フラスコ、カップ、マグ又は他の種類の容器であってもよい。更に、飲料容器は、１回の使用のために設計されていてもよく、又は再使用可能であってもよい。これらの飲料容器は、限定されないが、ガラス、金属、アルミニウム又はプラスチックを含め、種々の材料から製造することもできる。多くの市販の飲料容器、例えば、瓶詰めされた水、ソーダ、エネルギードリンク、ジュース又は電解質スポーツドリンクは、よく似ているか、又は同一の包装を有しており、多くの人々によって同じ場所（例えば、チームスポーツイベント又は社会的機能）で使用される場合には、飲料容器が混じり合い、どの飲料容器がどのヒトのものであるかについて混乱をきたす場合がある。例えば、社会的機能で、主催者は、数ダースの飲料をゲストのために購入する場合があり、又はスポーツイベントで、コーチは、参加者のために１ケースの飲料を購入する場合がある。同じ飲料容器は、どの飲料容器がどのヒトのものであるかの混乱をきたす場合がある。飲料を選択したが、その後に、その軌跡を見失ったヒトは、その後に取った飲料が、自身のものであるか自信がなくなる場合がある。この混乱によって、ヒトは、その飲料容器が自身のものではないかもしれないという懸念から、その飲料容器を廃棄する場合がある。これにより、自身のものであるか自信がないというだけのために、ヒトが、自身の飲料容器を不必要に廃棄し得るため、飲料製品の廃棄と、飲料容器の廃棄が増える。
【００１７】
この混乱を避けるために、ヒトは、その飲料容器に（例えば、そのラベルに）自分のものだと印を付けることを望む場合がある。例えば、あるヒトは、消えないマーカーを用い、自身の飲料容器にマークを付ける場合がある。この方法を用いると、同じように見える飲料容器を持っているヒトの中で混乱が減ると思われるが、これには欠点がある。例えば、２人のヒトが、同じ名前を使って容器にマークを付けると、その２つを区別することは困難な場合がある。また、第２の器具（マーカー）の使用が必要になり、それが手に入らない場合がある。ある場合には、接着性ラベルを使用し、飲料容器を区別してもよい。接着性ラベルは、飲料容器の外側に付着していてもよい。ヒトは、自身の名前を書き込むか、又は他の区別するマークをラベルに書き込んでもよい。しかし、接着性ラベルには、ラベルにマークを付けるための第２の器具が必要になることに加えて、欠点がある。ラベルの接着は、飲料容器の外側に進行し得る凝縮に起因して、効果的なものではなくなる。凝縮又は保持者の手との継続した接触の影響により、ラベルが摩耗し、はがれて保持者の手の中にラベルの小片が残る場合がある。更に、削って剥がすフィルムが飲料容器に貼り付けられている（削って剥がすくじ引き券と同様に、フィルムの一部を除去することによってマークをフィルムから剥がすことができる）場合には、接着性ラベルと同様に、フィルム材料の除去に起因して、望ましくない残渣及び破片が残る。
【００１８】
本明細書に記載される新しい製品、システム及び方法は、改良された能力を有しているため、末端顧客、販売業者、製造業者が、消費財に対して好きなグラフィック表示を付ける大きな可能性を与える。更に、本発明の実施形態は、製造コストが安くなり、健康及び環境への影響も改良される。
【００１９】
本明細書に開示されるフィルムによって、顧客は、フィルムの上に好みのグラフィックを作成することができる。開示されるフィルムは、任意の形状又は輪郭のラベルに貼り付けられてもよく、工業的な印刷装置を用いて使用されてもよい。フィルムは、視覚的に楽しく、空間に適した好みのグラフィックの領域を作成するために、種々の形状で貼り付けられてもよい。例えば、好みのグラフィックのフィルムは、正方形、円形、長方形、星形又はスクロールの形態で貼り付けられてもよい。フィルムは、顧客の使用に十分なほど可撓性であり、多種多様な製品に配置されてもよい。
【００２０】
本明細書に開示する製品、システム及び方法は、記述の目的のためのラベリングする製品という観点で使用されるフィルムを提示する。しかし、開示されている実施形態は、単にラベルとして使用するものに限られない。いくつかの実施形態を、添付の図面を参照しつつ以下に記載する。
【００２１】
いくつかの実施形態では、ラベル４００は、図１に示されるように、飲料容器５００に接着していてもよく、又は付着していてもよい。飲料容器５００は、例えば、缶、瓶、フラスコ、カップ、マグ又は他の様々なものであってもよく、限定されないが、ガラス、金属、アルミニウム又はプラスチックを含む種々の材料から作られてもよい。いくつかの実施形態では、ラベル４００は、商品を特定するか、又は他のマークを付けるのに役立つように、フィルム１００を含んでいてもよい。フィルム１００は、マークを付け、そのマークの表示を保持することができる（例えば、区別するのに役立つ）材料から作られてもよい。ラベル４００は、種々の他の商品（例えば、個々にラッピングされたスナックバー、あらかじめ包装されている食事、弁当箱、他の食品貯蔵容器又は玩具）に使用されてもよい。
【００２２】
いくつかの実施形態では、好みのグラフィック１１４などのマークをフィルム１００上に示すことを望むユーザは、図２に示すように、フィルム１００に凹部１０２を形成してもよい。凹部１０２は、フィルム１００内にマーク１１５を残し、好みのグラフィック１１４を形成してもよい。凹部１０２と、凹部１０２によって作られるフィルム１００中のマーク１１５は、（例えば、元々の凹部１０２の周囲のフィルム１００の表面に圧力を加えることによって、又は元々の凹部１０２の付近に別の凹部１０２を作成することによって）ユーザが元々の凹部１０２をもはや見ることができない程度まで変形させる様式でフィルム１００を変形させるまで、フィルム１００に留まっている。図３に示されるように、いくつかの実施形態では、フィルム１００は、ラベル４００に貼り付けられ、ユーザは、ラベル４００の上に好みのグラフィック１１４を作成することができる。この構成は、フィルム１００が、ラベル４００の小さな領域にのみ貼り付けられ得る消費財市場において有益であり、それによって、企業は、顧客がラベル４００を好きに変える能力を与えつつも、ラベル４００の大部分のブランドを維持することができる。
【００２３】
図４Ａに示されるように、いくつかの実施形態では、フィルム１００は、上部層１０４と、移動可能な材料層１０６と、バックグラウンド層１０８と、下部層１１０とで構成されている。いくつかの実施形態では、上部層１０４は、二軸配向ポリプロピレン（ＢＯＰＰ）フィルムであってもよい。いくつかの実施形態では、上部層１０４は、厚さが６〜５０ミクロンのポリマーフィルムであってもよく、例えば、ラミネーションプロセスによって、フィルム１００の他の層に貼り付けられてもよい。いくつかの実施形態では、上部層１０４は、厚さが０．５〜５０ミクロンの透明なコーティング又はフィルムであってもよく、例えば、表面印刷プロセスによって、フィルム１００の他の層に貼り付けられてもよい。上部層１０４は、透明であってもよい。いくつかの実施形態では、上部層１０４は、ある色調を有していてもよい。
【００２４】
上部層１０４は、バックグラウンド層１０８に対し、移動可能な材料層１０６を包み込んでもよい。移動可能な材料層１０６は、種々の材料から作られていてもよい。移動可能な材料層１０６は、上部層１０４の下にある領域内を移動可能であってもよい。例えば、この層は、流動可能であってもよい。いくつかの実施形態では、例えば、移動可能な材料層１０６は、加えられた力に応答して流動可能であり、加えられた力がなくなってもその位置を保持するゲルで構成されていてもよい。いくつかの実施形態では、移動可能な材料層１０６は、不透明又は半透明であってもよく、それにより、その下に配置されるバックグラウンド層１０８を見えなくする。いくつかの実施形態では、移動可能な材料層１０６は、粘度が５０ｃＰ（センチポアズ）〜５０００ｃＰ（例えば、２００ｃＰ〜５００ｃＰ）であってもよい。
【００２５】
いくつかの実施形態では、バックグラウンド層１０８及び上部層１０４は、所定の領域に密封され、移動可能な材料層１０６のための袋１２０を作成してもよい。移動可能な材料層１０６は、袋を占めていてもよく、袋の中を流動してもよい。移動可能な材料層１０６の移動可能な材料は、袋１２０の中の唯一の物質であってもよい。移動可能な材料層１０６は、袋の中に完全に密封されていてもよい。バックグラウンド層１０８及び上部層１０４は、所定の領域で密封され、異なる形状を有する袋１２０又は複数の袋１２０を生成してもよい。袋１２０は、移動可能な材料層１０６が袋１２０から出ていくのを防ぐために、上部層１０４とバックグラウンド層１０８との間の接点によって作られる縁部１２２の周囲で密封されていてもよい。例えば、袋１２０は、スクロールの形状で作られ、スクロール又は他の視覚的に楽しい形状のフィルム１００を与えてもよい。スクロールは、例えば、このフィルムが、好みのグラフィックを付すフィルムであり、ユーザは、好みのグラフィック１１４を作成し得るというユーザの心情を強化し得る。
【００２６】
いくつかの実施形態では、フィルム１００の全厚さは、１〜２０ミクロン（例えば、３〜１０ミクロン）である。
【００２７】
フィルム１００の上に好みのグラフィック１１４を作成したいユーザは、器具１１２を用いて行ってもよい（例えば、図４Ｂ〜４Ｄを参照）。器具１１２は、種々の物体であってもよい。例えば、器具１１２は、限定されないが、コイン、クレジットカード、指の爪、文房具、スティック又は靴紐の先金具であってもよい。器具１１２は、一般的に、上部層１０４に対して力を加えると、上部層１０４がバックグラウンド層１０８に対して凹むほど十分に剛性である。
【００２８】
いくつかの実施形態では、器具１１２は、フィルム１００の上の位置１１６に点圧力を加えてもよい。器具１１２が、フィルム１００に向かって（すなわち、上部層１０４の元々の位置より下に）更に下げられるにつれて、上部層１０４と移動可能な材料層１０６が変形し始める（例えば、器具１１２として機能するコインが、上部層１０４に対して、フィルム１００のより深い方向へと力を加え、それによって、移動可能な材料層１０６の一部が変形する一連の図４Ｂ〜４Ｅ）。上部層１０４は、圧縮が最低限の状態であるか、ほとんどない状態で、密着した無傷の層のままである。これとは対照的に、移動可能な材料層１０６は、器具１１２に加えられる圧力から離れる方に、すなわち、位置１１６から離れる方に流動し始める。移動可能な材料層１０８は、上部層１０４に加えられる点圧力によって移動し、上部層１０４が、バックグラウンド層１０８に近くなる方に移動してもよい。分散した力（例えば、丸い表面によって加えられる点ではない力、又はその他の上部層１０４の上に分散するもの）は、一般的に、移動可能な材料層１０８を移動させるのに十分なものではないだろう。したがって、狭い縁部を有する物体（例えば、指の爪の先端）は、加えられる力を小さな領域に集中するものであり、移動可能な材料層を移動させ、一方、フィルム１００の大きな領域に加えられた力は、移動可能な材料層材料層１０８を移動させないだろう。例えば、ユーザの手が、上部層１０４に対して加圧するか、又は上部層１０４が、別の物体に対して擦られたときに、移動可能な材料層１０８は、移動しなくてもよい。
【００２９】
図４Ｄは、バックグラウンド層１０８に接触するまで上部層１１４を凹ませる器具１１２を示す。上部層１１４は、バックグラウンド層１０８と接触していてもよく、接触していなくてもよい。しかし、器具１１２が、上部層１０４をバックグラウンド層１０８に対して凹ませるにつれて、書き込み可能な層１０６は、圧力点１１６から離れる方に流動する。図４Ｅは、器具１１２がフィルム１００から取り除かれた後のフィルム１００を提示する。図４Ｅに示されるように、書き込み可能な層１０６は、圧力点１１６の方に流れて戻ることはない。そうではなく、書き込み可能な層１０６は、器具１１２がフィルム１００から取り除かれる前とまさに同じ位置に留まる。すなわち、移動可能な材料層１０６は、圧力点１１６から離れたまま留まる。この様式で、点１１６にあるバックグラウンド層１０８の部分は、上部層１０６を介して見ることができる（すなわち、もはや移動可能な材料層１０６によって妨げられない）。これにより、フィルム１００の圧力点１１６（バックグラウンド層１０８を見ることができる（又はもっと明瞭に見ることができる））と、移動可能な材料層１０６がバックグラウンド層１０８の上に配置されたままであるフィルム１００の部分（バックグラウンド層を見ることができない（又は明瞭に見ることができない））との視覚的な区別が作られる。この視覚的な区別の経路（例えば形状）は、器具１１２を上部層１０４に沿って移動させ、移動可能な材料層１０６を更に変形させるユーザによって好きに調節可能であり、それによって、フィルム１００の上に現れる任意の望ましいマークを作成する。フィルム１００は、再書き込み可能であってもよい。ユーザは、再び、上部層１０４に沿って器具１１２を移動させることによって、目に見えて区別される経路を変え、移動可能な層１０６を更に変形させ、マーク１１４の形状を変化させてもよい。移動可能な層１０６は、更なる変形によって、既に離れるように流動した領域に、戻ってもよい。したがって、バックグラウンド層１０８を見ることができるか、又はもっと明瞭に見ることができるフィルム１００の部分が、見えなくなってもよく、又は、既に離れるように移動してしまったバックグラウンド層１０８の領域の上の移動可能な層１０６の材料を移動させる圧力を加えることによって、以前よりもっと見えないようにされてもよい。いくつかの実施形態では、バックグラウンド層１０８は、ＢＯＰＰフィルムであってもよく、一色又は複数の色を含んでいてもよい。バックグラウンド層１０８の一色又は複数の色は、移動可能な材料層１０６とは異なる色であってもよく、移動可能な材料層１０６が移動したことを明確に示す（例えば、異なる色間のコントラストによって）。いくつかの実施形態では、上部層１０４は、透明であってもよく、移動可能な材料層１０６は、不透明であってもよく、バックグラウンド層１０８は、移動可能な材料層１０６とは異なる色に着色していてもよい。この様式で、ユーザが、書き込み可能な層１０６を広げつつ、フィルム１００の上にマークを付すと、バックグラウンド層１０８は、上部層１０４を通して目に見える。この組み合わせによって、書き込み可能な層１０６の中のマークは、ユーザに更に見やすくなるだろう。
【００３０】
いくつかの実施形態では、移動可能な材料層１０６は、樹脂又はエマルション（例えば、スチレン樹脂）と着色剤の混合物であってもよい。いくつかの実施形態では、移動可能な材料層１０６は、不透明なポリマーと組み合わせた市販の水系ポリマーで構成されていてもよい。この組み合わせによって、移動可能な材料層１０６とバックグラウンド層１０８との間を明瞭に視覚的に区別することができるだろう。更に、ある種の水系ポリマーの使用によって、工業用プリンタからの印刷性能が向上するだろう。その結果、フィルム１００は、典型的な工業的な印刷プロセスを用い、ラベル４００の上に印刷されてもよい。ラベル４００は、典型的には、いずれにせよ、製造中にこのような印刷プロセスを受けるため、新しいプロセスを導入することによってラベルの製造が複雑化することなく、フィルム１００をラベル４００に組み込むことができる。
【００３１】
いくつかの実施形態では、下部層１１０は、製品包装であってもよい。バックグラウンド層１０８は、プリンタを用い、下部層１１０に貼り付けられてもよい。移動可能な材料層１０６は、プリンタを用い、バックグラウンド層１０８に貼り付けられてもよい。この様式で、バックグラウンド層１０８及び移動可能な材料層１０６が、両方とも製品包装に直接的に印刷され得るため、フィルム１００を組み込むために、既存の製造方法に対して必要な変更は最小限である。
【００３２】
いくつかの実施形態では、フィルム１００は、図４Ａ〜４Ｅに示されるものよりも多い層又は少ない層を含んでいてもよい。例えば、図５Ａ〜５Ｅは、３つの層を有する本発明の一実施形態を示す。この実施形態では、３つの層は、上部層１０４、移動可能な材料層１０６、バックグラウンド層１０８である。これらの層は、上に記載したのと同じ特徴を有していてもよい。
【００３３】
図６Ａは、好みのグラフィック１１４が付加される前のフィルム１００を示す。示されているように、移動可能な材料層１０６は、フィルム１００を全体的に覆う。移動可能な材料層１０６は、上部層１０４の下に配置されており、この例では透明である。一方、移動可能な材料層１０６は、不透明であり、上部層１０４の下に見ることができる。図６Ｂにおいて、器具１１２は、フィルム１００に沿った経路で、フィルム１００に向かって下側に移動し、これによって、書き込み可能な層１０６が、この経路に沿って器具１１２から離れるように流れ、好みのグラフィック１１４を形成する。上述のように、図４Ａ〜４Ｅは、器具１１２が、上部層１０４がバックグラウンド１０８と出会うまで、移動可能な材料層１０６を介して上部１０４を凹ませることを示す。図６Ｃは、器具１１２がフィルム１００から取り除かれた後に、上部層１０４を通して見えるバックグラウンド層１０８を示す。移動可能な材料層１０６は、この時点では見ることができないバックグラウンド層１０８のいずれかの側に示されている。いくつかの実施形態では、図６Ｃに示されるように、両方とも上部１０４を通して見える、不透明な移動可能な材料層１０６と着色したバックグラウンド層１０８との間のコントラストを用い、好みのグラフィック１１４が、フィルム１００内に作られる。
【００３４】
いくつかの実施形態では、フィルム１００は、包装ラベルに貼り付けられてもよく、又は包装ラベルであってもよい。図７Ａ及び図７Ｂは、選択した領域にフィルム１００が貼り付けられたラベル４００を提示している。フィルム１００は、例えば、ラベル４００の全領域の５％、１０％、２０％、２５％又は１００％を占めていてもよい。フィルム１００が、ラベル４００の全領域の１００％未満（例えば、２５％未満）に貼り付けられる実施形態によって、ラベル４００の残りの領域を、他のグラフィック又は文字に使用することができる。フィルム１００は、多くの形状で貼り付けられてもよく、連続していてもよく、又は不連続であってもよい。図７Ａ及び図７Ｂは、好みのグラフィック１１４が貼り付けられる前（図７Ａ）及び好みのグラフィック１１４が貼り付けられた後（図７Ｂ）のフィルム１００を示す。いくつかの実施形態では、フィルム１００は、標準的な印刷インクによる印刷プロセスを用い、ラベル４００に貼り付けられてもよい。いくつかの実施形態では、下部層１１０は、包装ラッピングのラベルであってもよい。工業用プリンタは、ラベル４００の選択した領域にバックグラウンド層１０８を貼り付けてもよい。プリンタは、フィルム１００が使用されていないラベル４００の他の部分に、グラフィック又は着色しているバックグラウンド層１０８も貼り付けてもよい。プリンタは、移動可能な材料層１０６をバックグラウンド層１０８に適用してもよい。次いで、上部層１０４が、移動可能な材料層１０４の上に貼り付けられてもよい。いくつかの実施形態では、上部層１０４は、ラベル４００全体に貼り付けられてもよく、ラベル４００の外側に一貫した外観及び感触を与えるのに役立ってもよく、フィルム１００の層を所定位置に維持するのに役立ってもよい。
【００３５】
「発明を実施するための形態」の節は、「特許請求の範囲」を解釈するために使用されることを意図している。概要及び要約の節は、本願発明者らによって想定される本発明の全てではないが１つ以上の例示的な実施形態を示していてもよく、したがって、本発明及び添付の特許請求の範囲をこれらの特定の実施形態に限定することを意図していない。
【００３６】
特定の機能の実施及びそれらの関係を例示する機能的構成要素の助けにより、本発明を上で説明してきた。これらの機能的な基礎的要素の境界は、説明の便宜上、本明細書において任意に定義されている。特定の機能及びこれらの関係が適切に行われる限り、代替の境界を定義することができる。
【００３７】
特定の実施形態の前述の説明は、当業者が知識を適用することにより、他の人にも可能である、そのような特定の実施形態を様々な用途に容易に変更及び／又は適合させ、過度の実験をすることなく、本発明の一般的な概念から逸脱することなく、本発明の一般的な性質を完全に明らかにするであろう。したがって、そのような適合及び修正は、本明細書に提示された教示及び指導に基づいて、開示された実施形態の等価物の意味及び範囲内にあることが意図される。本明細書の表現法又は用語法は、説明を目的とするものであって、限定するものではないことを理解されたく、したがって、本明細書の用語法又は表現法は、教示及び指導の観点から当業者によって解釈されるべきである。
【００３８】
本発明の広がり及び範囲は、上記の例示的な実施形態のいずれによっても制限されるべきではないが、特許請求の範囲及びそれらの等価物に従ってのみ規定されるべきである。
【図１】
2019515347.tif 000003
【図２】
2019515347.tif 000004
【図３】
2019515347.tif 000005
【図４Ａ】
2019515347.tif 000006
【図４Ｂ】
2019515347.tif 000007
【図４Ｃ】
2019515347.tif 000008
【図４Ｄ】
2019515347.tif 000009
【図４Ｅ】
2019515347.tif 000010
【図５Ａ】
2019515347.tif 000011
【図５Ｂ】
2019515347.tif 000012
【図５Ｃ】
2019515347.tif 000013
【図５Ｄ】
2019515347.tif 000014
【図５Ｅ】
2019515347.tif 000015
【図６Ａ】
2019515347.tif 000016
【図６Ｂ】
2019515347.tif 000017
【図６Ｃ】
2019515347.tif 000018
【図７Ａ】
2019515347.tif 000019
【図７Ｂ】
2019515347.tif 000020
【国際調査報告】
2019515347.tif 000021